(57)【要約】      （修正有）【課題】スタンドアップ袋において、側壁上部に折返し可能な端部を設け縦置きした時の安定性が良く、また表示機能が優れたスタンドアップ袋を提供する。【解決手段】対向する二つの側壁１１Ａ，１１Ｂ、前記二つの側壁の底部を連結する底壁１２、及び前記二つの側壁の上部を連結する頂壁２０を備えたスタンドアップ袋本体１０と、前記二つの側壁１１Ａ，１１Ｂのそれぞれの上部から、更に上部に延びた折り返し可能な縁部３０Ａ，３０Ｂと、二つの縁部の両側端が形成する切り欠き状の開口部３１とを設けて、スタンドアップ袋Ａを構成する。【選択図】図１
0003155080.tif 000002
【実用新案登録請求の範囲】
【請求項１】
対向する二つの側壁、前記二つの側壁の底部を連結する底壁、及び前記二つの側壁の上部を連結する頂壁を備えたスタンドアップ袋本体と、
前記二つの側壁のそれぞれの上部から、更に上部に延びた折り返し可能な縁部と、
二つの縁部の両側端が形成する切り欠き状の開口部と、
を備えてなることを特徴とするスタンドアップ袋。
【請求項２】
前記折り返し可能な縁部の各角部は、直角または鈍角であり、
前記折り返し可能な縁部には、把持用の開口が設けられていることを特徴とする請求項１に記載のスタンドアップ袋。
【請求項３】
前記頂壁の中央部、又は偏った位置には、内容物注入出口が設けられていることを特徴とする請求項１又は２に記載のスタンドアップ袋。
【請求項４】
前記内容物注入出口は、突出スクリューチューブ及びスクリューキャップで構成されることを特徴とする請求項３に記載のスタンドアップ袋。
【請求項５】
前記折り返し可能な縁部は、横向きに延びたように折り返され、又は前記側壁の外表面に貼り付けるように下向きに折り返され得ることを特徴とする請求項１〜４のいずれか一項に記載のスタンドアップ袋。
【考案の詳細な説明】
【技術分野】
【０００１】
本考案は、スタンドアップ袋の構造に関し、スタンドアップ袋本体の側壁上部に折り返し可能な縁部が設けられているオリジナル設計のスタンドアップ袋に関する。
【背景技術】
【０００２】
本考案でいうスタンドアップ袋とは、液体商品（液体洗剤、柔軟剤など）、または粉末洗剤、飼料などの粉末状または粒状商品の詰替用パックなどに広く使われている可撓性の袋のことをいう。
【０００３】
従来のスタンドアップ袋の形態を図７に示す。図７において、スタンドアップ袋０２の底部０３は、内容物を入れると広げられ、底面積が比較的に大きい状態となり、スタンドアップ袋０２の上部０４は、表裏２枚の側壁０５が接合されて閉じた状態となっている。このような従来のスタンドアップ袋０２の構造形態には、次のような使用上の欠点があることが分かった。
【０００４】
１．縦置き時の安定性について：
従来のスタンドアップ袋０２は、内容物を入れたとき、２枚の側壁０５が互いに相手側に傾斜し、そのとき、スタンドアップ袋０２の底部０３がカーブ状となり、スタンドアップ袋０２は３次元的に歪んだリング状のような支持状態になる。すなわち、底部０３は対向した二つの角部０３Ａ，０３Ｂに支えられ、一応、安定した状態を保てるようになるだけで、角部０３Ａと角部０３Ｂの間の円形部０３Ｃは浮いた状態になっている。それゆえ、従来のスタンドアップ袋は、立てた状態での安定性が悪くて、倒れやすいため、商品売り場の陳列、又は購入後の収納等に理想的でなく、実用的な設計とも言えない。
【０００５】
２．表示、広告機能について：
従来のスタンドアップ袋０２は広告等の表示部分が側壁０５の表面範囲内に限られ、その側壁０５は周りの接合部分を減らしたら、表示可能な部分が小さく、また、側方からしか観察できないため、スタンドアップ袋０２が陳列されたとき、表示機能が低くて、商品の広告宣伝などの販売効果に不利なところがあった。
【０００６】
それゆえ、上述の従来のスタンドアップ袋０２の構造に存在する問題点ついて、より理想的で実用性のあるオリジナル構造を開発するのが、ユーザの望むことで、関連業者が努力し、突破すべき目標と方向でもある。
【考案の概要】
【考案が解決しようとする課題】
【０００７】
本考案は、従来のスタンドアップ袋の改良構造を提供することを目的とし、解決しようとする課題は、従来のスタンドアップ袋の縦置き時の安定性の悪さ、広告表示などの表示機能に低さという欠点を改良、突破することである。
【課題を解決するための手段】
【０００８】
本考案者は、スタンドアップ袋関連製品の製造と開発設計に携わる長年の経験を持っており、上述の目標について詳しく設計、評価したうえ、ようやく実用性のある本考案を得られたわけである。
【０００９】
本考案のスタンドアップ袋は、対向する二つの側壁、及び前記二つの側壁の上部、及び底部に頂壁、底壁を備えるスタンドアップ袋本体を有する。該スタンドアップ袋本体の二つの側壁のそれぞれの上部には、更に上部に延びた折り返し可能な二つの縁部と、二つの縁部の両側端が形成する切り欠き状の開口部とを備えている。
【００１０】
好ましい本考案のスタンドアップ袋は、前記折り返し可能な縁部に開口部を備えてなることを特徴とする。この開口部は、スタンドアップ袋を把持するための手持穴とすることができる。また、本考案のスタンドアップ袋は、前記折り返し可能な縁部の角部の角度を直角又は鈍角とすることが好ましく、前記角部は曲線状とすることが更に好ましい。
【００１１】
本考案のスタンドアップ袋は、前記頂壁に内容物注入出口を設けることが好ましい。前記内容物注入出口は、前記頂壁の中央部、又は偏った位置に配置しても良い。前記内容物注入出口は、キャップを備えることが好ましく、前記頂壁から突出したスクリューチューブと該スクリューチューブに対応するスクリューキャップの組合せとすることができる。
【００１２】
本考案のスタンドアップ袋は、前記頂壁より上部に突出した縁部を折り返して、略横向き（略水平）に広げ、又は前記側壁の外表面に重なるように略１８０度折り曲げて使用することができる。
【考案の効果】
【００１３】
本考案のスタンドアップ袋は、従来の技術のスタンドアップ袋に比べて、以下のような効果を有する。
（１）スタンドアップ袋を立てて置いた時の安定性が向上し、販売時の陳列や購買後の収納や取り扱いの利便性が向上する。
（２）スタンドアップ袋の表示機能が質量ともに増加し、広告表示効果が有効に向上し、商品の市場販売などにより役立つ。
【図面の簡単な説明】
【００１４】
【図１】本考案のスタンドアップ袋の好適な実施形態の斜視図
【図２】図１に示したスタンドアップ袋の縦断面図
【図３】本考案のスタンドアップ袋の折り返し可能な縁部に手持穴を設けた実施形態の頂壁形態の正面図
【図４】本考案のスタンドアップ袋のもう一つの好適な実施形態の頂壁形態の正面図
【図５】図１に示したスタンドアップ袋の折り返し可能な縁部を横向きに延びたように折り返した頂壁形態のイメージ図
【図６】図１に示したスタンドアップ袋の折り返し可能な縁部を下向きに折り返した頂壁形態のイメージ図
【図７】従来のスタンドアップ袋の斜視図
【考案を実施するための形態】
【００１５】
図１、図２に示すのは、折り返し可能な縁部を有する本考案のスタンドアップ袋Ａの好適な実施形態であり、これらの実施形態は説明のみに用いられ、実用新案登録請求の範囲は、これらの形態に制限されない。図１、図２において、スタンドアップ袋Ａは、対向する二つの側壁１１Ａ，１１Ｂ、二つの側壁１１Ａ，１１Ｂの底部の間を連結する底壁１２、二つの側壁１１Ａ，１１Ｂの上部を連結し上面を形成する頂壁２０からなるスタンドアップ袋本体１０を備える。
【００１６】
スタンドアップ袋は、二つの側壁１１Ａ，１１Ｂの上部から、それぞれ更に上に延び、適当な面積で構成された二つの折り返し可能な縁部３０Ａ，３０Ｂを備える。二つの折り返し可能な縁部３０Ａ，３０Ｂの側端部は、切り欠き状の開口部３１を形成している。
【００１７】
折り返し可能な縁部３０Ａ，３０Ｂの上辺と側辺の角部３２は、直角または鈍角（例えば、食付き角、周角など）とすること、及び曲線状とすることが好ましい。図１、２に示した角部３２は、鈍角であり、曲線状であり、周角形態である。縁部３０Ａ，３０Ｂの側端部に切り欠き状の開口部３１を形成し、角部３２を直角または鈍角とすることで、縁部３０Ａ，３０Ｂを容易に折り返しできるようにできる。また角部３２を曲線状とすることによりスタンドアップ袋の取り扱い性を高めている。
【００１８】
図１、図２に示すように、頂壁２０の真ん中の位置には更に、内容物注入出口４０が設けられてもよい。内容物注入出口４０の具体的な構造は、突出スクリューチューブ４１（開口突起）及びスクリューキャップ４２（蓋）で構成されている。スクリューキャップ４２は、突出スクリューチューブ４１に嵌められて、内容物注入出口４０を密封状態とし、スクリューキャップ４２を開ると、内容物注入出口４０が開放される。内容物注入出口４０は、ゴムやプラスチックの弾性を利用したワンタッチ式の開口と蓋としても良い。
【００１９】
図３に示すように、折り返し可能な縁部３０Ａ，３０Ｂには、更に手持穴５０を設けることで、そこに指を入れて手持ちできるようになり、スタンドアップ袋Ａを持ち運ぶのに便利になる。
【００２０】
図４に示すように、本実施形態に示された内容物注入出口４０は、頂壁２０の偏った位置２０Ａに設けられ、そして、頂壁２０Ａは比較的に大きな斜面がある形態に形成されている。この形態は、内容物の注出に便利である。
【００２１】
上述の構造の組合せ設計により、本考案のスタンドアップ袋Ａの中心設計は、スタンドアップ袋本体１０の二つの側壁１１の上部に、折り返し可能な縁部３０Ａ，３０Ｂの構造形態が設けられていることを特徴とし、この設計により、図２に示すように、二つの側壁１１Ａ，１１Ｂの上部の間は、頂壁２０によって隔てられているため、従来のスタンドアップ袋のように二つの側壁の上部がお互いに接合されてペチャンコ状態になることがなく、二つの側壁１１Ａ，１１Ｂの間が広げられ、スタンドアップ袋Ａはストレートな円筒状態になる。これにより、二つの側壁１１Ａ，１１Ｂの底部が平らになり、スタンドアップ袋Ａの縦置き時の安定性を向上させる。また、折り返し可能な縁部３０Ａ，３０Ｂの設置によって、スタンドアップ袋Ａの表示機能が増し、印刷広告面積が広くなり、商品宣伝の文字、画像、商標などの内容作成は余裕が出来て、表示機能がよりうまく活用されれば、さらに目立つようになる。さらに、頂壁２０及び折り返し可能な縁部３０Ａ、３０Ｂの内側面にも広告等の表示が可能となり、表示面積が増加するだけでなく、スタンドアップ袋Ａの上方からも表示が観察できるので、重ね置きをしても表示が見えることになる。
【００２２】
一つ付け加えておきたいことがあるが、二つの折り返し可能な縁部３０Ａ，３０Ｂに対応した二つのサイド側の間に形成された開口部３１によって、二つの折り返し可能な縁部３０Ａ、３０Ｂの連続しない状態が構成されているが、ユーザがスタンドアップ袋Ａで包装された商品を購入したとき、使用上、使いやすくするために、二つの折り返し可能な縁部３０Ａ、３０Ｂを横向きに延びたように水平に折り返し（図５参照）、または、折り返し可能な縁部３０Ａ，３０Ｂを側壁１１Ａ，１１Ｂの外部に貼り付けるように下向きに折り返して（図６参照）、頂壁２０にある内容物注入出口４０を露出させることができる。そこから分かるように、二つの折り返し可能な縁部３０Ａ，３０Ｂの設置で、ユーザの使用時の利便性に支障を及ぼさないのである。
【００２３】
本考案のスタンドアップ袋には、以下のような利点がある。  
（１）本考案に示したスタンドアップ袋は、二つの側壁の上部に折り返し可能な縁部を設け、また、頂壁で二つの側壁の上部の間を隔てるというオリジナルな設計により、スタンドアップ袋に内容物が充填されているとき、スタンドアップ袋の二つの側壁が広げられ、ストレートな円筒状態になり、更に、二つの側壁の底部を平らに支えて、スタンドアップ袋の縦置き時の安定性を向上させ、販売の陳列や購買後の放置により安定して並べられる。
【００２４】
（２）二つの側壁の上部に折り返し可能な縁部を設けているオリジナル設計によって、折り返し可能な縁部を使って、スタンドアップ袋の印刷広告面積が更に大きくなり、目立ちやすくなると同時に、注目度も高くなり、販売の陳列空間に置かれると、識別度のよい広告効果が発揮でき、スタンドアップ袋の広告効果が有効になり、商品のマーケティングにも役立つ。
【００２５】
上述の実施形態に示したスタンドアップ袋は、本考案を具体的に説明するために用いたものであり、文中に特定の専門用語を使って説明されてきたが、それらを以って本考案の実用新案登録請求範囲を制限してはならず、また、この技術分野が分かる者は、本考案のコンセプトや考えなどを理解して、その変更や改造などを行って、それと同様の目的を達成したとしても、それらの変更や改造などは、すべて実用新案登録請求範囲に含まれるものとする。
【符号の説明】
【００２６】
０２：スタンドアップ袋
０３：底部
０３Ａ，０３Ｂ：角部
０３Ｃ：円形部
０４：上部
０５：側壁
Ａ：スタンドアップ袋
１０：スタンドアップ袋本体
１１Ａ，１１Ｂ：側壁
１２：底壁
２０，２０Ａ，２０Ｂ：頂壁
３０Ａ、３０Ｂ：折り返し可能な縁部
３１：開口部
３２：角部
４０：内容物注入出口
４１：突出スクリューチューブ
４２：スクリューキャップ
５０：手持穴（開口）
【図１】
0003155080.tif 000003
【図２】
0003155080.tif 000004
【図３】
0003155080.tif 000005
【図４】
0003155080.tif 000006
【図５】
0003155080.tif 000007
【図６】
0003155080.tif 000008
【図７】
0003155080.tif 000009